(57)【要約】【課題】高性能な回転切削工具を提供する。【解決手段】リーマ９０は、軸方向第一の位置に配置された第一の切刃群１０と、第一の位置よりも軸方向根元側の第二の位置に配置された第二切刃群２０とを備え、第一切刃群１０は、第一の回転直径Ｄ１で配置された５以上の第一切刃を有し、第二切刃群２０は第一の回転直径Ｄ１よりも大きい第二の回転直径Ｄ２で配置された４以上の第二切刃を有し、第一切刃および第二切刃は直線形状で回転軸に平行であり、かつ、超硬質材料で構成されており、第一切刃群１０での５以上の第一切刃は第一の配列パターンで円周方向に配列され、第二切刃群２０での４以上の第二切刃は第一の配列パターンと異なる第二の配列パターンで円周方向に配列され、第一の配列パターンにおいて隣接する第一切刃間の角度は２種類以上存在し、第二の配列パターンにおいて隣接する第二切刃間の角度は２種類以上存在する。【選択図】図１
2018183854.tif 000002
【特許請求の範囲】
【請求項１】
軸方向第一の位置に配置された第一切刃群と、前記第一の位置よりも軸方向根元側の第二の位置に配置された第二切刃群とを備え、
前記第一切刃群は、第一の回転直径で配置された５以上の第一切刃を有し、前記第二切刃群は前記第一の回転直径よりも大きい第二の回転直径で配置された４以上の第二切刃を有し、
前記第一切刃および前記第二切刃は直線形状で回転軸に平行であり、かつ、超硬質材料で構成されており、
前記第一切刃群での５以上の前記第一切刃は第一の配列パターンで円周方向に配列され、前記第二切刃群での４以上の前記第二切刃は前記第一の配列パターンと異なる第二の配列パターンで円周方向に配列され、
前記第一の配列パターンにおいて隣接する前記第一切刃間の角度は２種類以上存在し、
前記第二の配列パターンにおいて隣接する前記第二切刃間の角度は２種類以上存在する、回転切削工具。
【請求項２】
前記第二切刃が設けられる複数のチップをさらに備え、複数の前記チップは、前記回転軸にほぼ直角な面内で延在して前記第二切刃に連なる前切刃を含む、請求項１に記載の回転切削工具。
【請求項３】
隣接する前記前切刃間の角度は５０°以上９５°以下である、請求項２に記載の回転切削工具。
【請求項４】
隣接する前記前切刃間の角度は８５°以上９５°以下である、請求項３に記載の回転切削工具。
【請求項５】
隣接する前記第一切刃間の角度および隣接する前記第二切刃間の角度は５０°以上９５°以下である、請求項１から４のいずれか１項に記載の回転切削工具。
【請求項６】
隣接する前記第一切刃間の角度および隣接する前記第二切刃間の角度は６０°以上９５°以下である、請求項５に記載の回転切削工具。
【請求項７】
前記第一切刃および前記第二切刃はダイヤモンドにより構成される、請求項１から６のいずれか１項に記載の回転切削工具。
【請求項８】
前記ダイヤモンドは、単結晶ダイヤモンド、多結晶ダイヤモンドおよびバインダレス多結晶ダイヤモンドからなる群より選ばれた一種である、請求項７に記載の回転切削工具。
【発明の詳細な説明】
【技術分野】
【０００１】
この発明は、回転切削工具に関する。
【背景技術】
【０００２】
従来、回転切削工具は、たとえば、特許文献１（特開２０１１−６２７９０号公報）、特許文献２（特開２００１−１１３４１３号公報）および特許文献３（実開平６−３１９１９号公報）に開示されている。
【先行技術文献】
【特許文献】
【０００３】
【特許文献１】特開２０１１−６２７９０号公報
【特許文献２】特開２００１−１１３４１３号公報
【特許文献３】実開平６−３１９１９号公報
【発明の概要】
【発明が解決しようとする課題】
【０００４】
従来の回転切削工具では、真円度および円筒度の要求が厳しくなり、要求値を満たすことが困難であるという問題があった。
【０００５】
そこで、この発明は上記の問題点を解決するためになされたものであり、真円度および円筒度の要求値を満たすことが可能な回転切削工具を提供することを目的とするものである。
【課題を解決するための手段】
【０００６】
この発明に従った回転切削工具は、軸方向第一の位置に配置された第一の切刃群と、第一の位置よりも軸方向根元側の第二の位置に配置された第二切刃群とを備える。第一切刃群は、第一の回転直径で配置された５以上の第一切刃を有し、第二切刃群は第一の回転直径よりも大きい第二の回転直径で配置された４以上の第二切刃を有する。第一切刃および第二切刃は直線形状で回転軸に平行であり、かつ、超硬質材料で構成されている。第一切刃群での５以上の第一切刃は第一の配列パターンで円周方向に配列され、第二切刃群での４以上の第二切刃は第一の配列パターンと異なる第二の配列パターンで円周方向に配列され、第一の配列パターンにおいて隣接する第一切刃間の角度は２種類以上存在し、第二の配列パターンにおいて隣接する第二切刃間の角度は２種類以上存在する。
【図面の簡単な説明】
【０００７】
【図１】実施の形態１に従ったリーマの正面図である。
【図２】図１中のＩＩ−ＩＩ線に沿った断面図である。
【図３】図１中のＩＩＩ−ＩＩＩ線に沿った断面図である。
【図４】下孔が形成されたワークの断面図である。
【図５】実施例１のリーマにおける第一切刃群を構成する第一切刃の配置を示す図である。
【図６】実施例１のリーマにおける第二切刃群を構成する第二切刃の配置を示す図である。
【図７】リーマで加工されたワークの断面図である。
【図８】実施例２のリーマにおける第一切刃群を構成する第一切刃の配置を示す図である。
【図９】実施例２のリーマにおける第二切刃群を構成する第二切刃の配置を示す図である。
【図１０】比較例１のリーマにおける第一切刃群を構成する第一切刃の配置を示す図である。
【図１１】比較例１のリーマにおける第二切刃群を構成する第二切刃の配置を示す図である。
【図１２】比較例２のリーマにおける第一切刃群を構成する第一切刃の配置を示す図である。
【図１３】比較例２のリーマにおける第二切刃群を構成する第二切刃の配置を示す図である。
【発明を実施するための形態】
【０００８】
［本発明の実施形態の説明］
（１）構成
回転切削工具は、軸方向第一の位置に配置された第一の切刃群と、第一の位置よりも軸方向根元側の第二の位置に配置された第二切刃群とを備える。第一切刃群は、第一の回転直径で配置された５以上の第一切刃を有し、第二切刃群は第一の回転直径よりも大きい第二の回転直径で配置された４以上の第二切刃を有する。第一切刃および第二切刃は直線形状で回転軸に平行であり、かつ、超硬質材料で構成されている。第一切刃群での５以上の第一切刃は第一の配列パターンで円周方向に配列され、第二切刃群での４以上の第二切刃は第一の配列パターンと異なる第二の配列パターンで円周方向に配列され、第一の配列パターンにおいて隣接する第一切刃間の角度は２種類以上存在し、第二の配列パターンにおいて隣接する第二切刃間の角度は２種類以上存在する。
【０００９】
このように構成された回転切削工具では、第一切刃群と第二切刃群との配列パターンが異なるため、第一切刃群で発生する振動と第二切刃群で発生する振動とが共振しない。その結果、真円度および円筒度の要求値を満たすことができる。
【００１０】
好ましくは、第二切刃が設けられる複数のチップをさらに備え、複数のチップは、回転軸にほぼ直角な面内で延在して第二切刃に連なる前切刃を含む。この場合、第二切刃と異なる加工を前切刃において実行できる。
【００１１】
好ましくは、隣接する前切刃間の角度は５０°以上９５°以下である。前切刃がワークのスラスト面に接触すると、前切刃はワークのスラスト面から軸方向の力を受ける。大径の第二切刃群の複数の前切刃がワークに接触するときには、隣接する前切刃の間の角度は５０°以上９５°以下であれば、スラスト面から第二切刃群がほぼ均等に力を受けることができる。その結果、真円度および円筒度を悪化させない。より好ましくは、隣接する前切刃間の角度は、８５°以上９５°以下の範囲である。
【００１２】
好ましくは、隣接する第一切刃間の角度および隣接する第二切刃間の角度は５０°以上９５°以下である。角度が５０°未満であれば、隣接する切刃間の角度が小さくなり、抵抗が大きくなるおそれがある。角度が９５°を超えると、角度が大きくなりすぎて回転切削工具の位置決め精度が低下するおそれがある。なお、「おそれがある」とは、僅かながらそのようになる可能性があることを示し、高い確率でそのようになることを意味するものではない。
【００１３】
好ましくは、隣接する第一切刃間の角度および隣接する第二切刃間の角度は６０°以上９５°以下である。
【００１４】
好ましくは、隣接する複数の第二切刃間の角度は８５°以上９５°以下である。根元側の第二切刃間の角度が８５°以上９５°以下であるため、根元側での第二切刃間での角度のばらつきが小さくなる。その結果、工作物により第二切刃がほぼ均等に保持されることで、回転軸のブレを防止できる。
【００１５】
好ましくは、第一切刃および第二切刃はダイヤモンドにより構成される。ダイヤモンドにより第一切刃および第二切刃が構成される場合には、鉄系金属以外のワークの切削に特に好ましい性能を発揮する。
【００１６】
好ましくは、ダイヤモンドは、単結晶ダイヤモンド、多結晶ダイヤモンドおよびバインダレス多結晶ダイヤモンドからなる群より選ばれた一種である。
【００１７】
（２）作用、効果
穴仕上げ加工用工具に代表されるＰＣＤ（多結晶ダイヤモンド）回転切削工具は、たとえば、自動車向けアルミニウム合金製の基幹部品（シリンダーヘッド／ブロック／ステアリング／油圧コントロールバルブ）および焼結金属などの穴仕上げ加工に用いられる。ワークにキー溝などが設けられて断続切削となる場合、および、肉厚が薄い場合などでも高精度な加工を行うことができる。
【００１８】
従来、穴仕上げ加工用ＰＣＤ回転工具の刃具径（切刃の回転直径）は、ワーク径公差の上限値から数μｍ小さい直径を上限とし、製造限界および要求値などから公差範囲を定めて設定する事が一般的である。これは、加工後にワークが収縮して穴の直径が変化するためである。
【００１９】
また、ワークの肉厚および加工径によって収縮量が異なるため、アプリケーション毎に刃具径の設定値を変更して対応することが通例である。
【００２０】
特に、キー溝などを有して断続切削になる場合、および、ワークの肉厚が薄い場合は、著しい真円度不良となる。
【００２１】
その対策として、（１）下穴径および加工条件など刃具以外の要素の変更をしたり、（２）切削抵抗を下げて振動による切刃のワークへの食い込みおよび幾何精度の悪化の防止を狙いに半径方向掬い角を設けたり、（３）４枚刃の場合、対向する２つの刃間の角度を１８０°とし、隣接する刃の間隔を不等配置に設定する（疑似不等配）など、刃具設計の工夫で対応している。
【００２２】
最近のワーク形状は、高機能化に伴い複雑な形状になったり、軽量化のために肉厚が薄い場合があり、かつ高能率化に伴い工具の送り速度を高くして加工するため、従来より弾性回復量が大きく、上記のような疑似不等配の刃具設計等では内径はもとより、真円度・円筒度などの幾何精度を満足する事が出来なくなった。弾性回復による穴径変化を抑制する刃具設計の１つの手段として１枚刃を選択することがある。
【００２３】
この場合、穴径変化は抑制することができるものの、切刃が１つであるため工具の送り速度を高くすることができず高速化が実現出来ない。送り速度ｆは０．０８〜０．１５ｍｍ／ｒｅｖとなる。
【００２４】
また、切刃以外の部分は超硬ガイドパッドの構造になるため、ガイドパッド先端部にアルミニウムなどの溶着が発生し易く、加工後の穴径が大きくなったり、加工面が曇るなど不具合が生じやすい。
【００２５】
もう１つの手段として、刃数を増やす事が考えられるが、刃数が増えるほどサイズの制約があり、かつコスト高となる。
【００２６】
このような中で、５枚刃で切刃間隔は不等配とした工具は合理的であるが、ワーク形状が多段穴でかつ工具の送り速度が高いと、工具自体の自励振動（ビビリ）による精度低下（下記（Ａ）（Ｂ））が課題として残っていた。
【００２７】
（Ａ）加工面のビビリマーク、曇りなどを招く。
（Ｂ）ワークの厚みが薄かったり、キー溝が形成された穴は径方向の収縮が起こりやすく真円度が崩れやすいため、これらのワークを加工する工具の対策には制約が多い。
【００２８】
特に加工深さが僅か３ｍｍ以下と極端に浅い場合、振動の影響で真円度や円筒度などの幾何精度を満足しない場合がある。
【００２９】
本発明者は、回転切削工具が、軸方向第一の位置に配置された第一の切刃群と、第一の位置よりも軸方向根元側の第二の位置に配置された第二切刃群とを備え、第一切刃群は、第一の回転直径で配置された５以上の第一切刃を有し、第二切刃群は第一の回転直径よりも大きい第二の回転直径で配置された４以上の第二切刃を有し、第一切刃および第二切刃は直線形状で回転軸に平行であり、かつ、超硬質材料で構成されており、第一切刃群での５以上の第一切刃は第一の配列パターンで円周方向に配列され、第二切刃群での４以上の第二切刃は第一の配列パターンと異なる第二の配列パターンで円周方向に配列され、第一の配列パターンにおいて隣接する第一切刃間の角度は２種類以上存在し、第二の配列パターンにおいて隣接する第二切刃間の角度は２種類以上存在する構成を採用することで、上記の課題を解決できることを見出した。
【００３０】
すなわち、１段目の先行刃を５枚刃以上、２段目の切刃を４枚刃以上としている。第一の配列パターンにおいて隣接する第一切刃間の角度は２種類以上存在し、第二の配列パターンにおいて隣接する第二切刃間の角度は２種類以上存在するため、これらの切刃間隔を不等配としている。
【００３１】
しかも、第二切刃群での４以上の第二切刃は第一の配列パターンと異なる第二の配列パターンで円周方向に配列されるため、第二切刃群の第二切刃のうち少なくとも１つ以上の切刃の周方向における位置は、第一切刃群の第一切刃の周方向における位置に対してずれている構造とする。
【００３２】
加工後のワークの穴径が収縮するのを抑え、真円度・円筒度などの精度が向上できる。従来の多刃設計に比べて工具コストが抑えられ、サイズによる制約が小さく広範囲に適用できる。
【００３３】
第一切刃群には先行刃として５枚以上の第一切刃があるため、工具の送り速度を高くして高能率の加工ができるものと考えられる。
【００３４】
切刃間隔を不等配としているため、ワークに接触した場合に振動の発生を抑制することができ、これにより真円度を向上させることができるものと考えられる。しかも、第一切刃群の先行刃での加工が進み第二切刃群の切刃がワークの加工を開始した場合に、切刃の位置が周方向においてずれているものがあるため、各加工穴における切削時の振動を同じ位置で受けにくく、ビビリが発生しにくいため、加工穴径が安定し、真円度と円筒度を向上させることができる。
【００３５】
溶着低減に関しては、切刃数が多いため、大きなガイドパッドを設けなくても振動の発生を抑制することができるので、切屑の溶着が生じにくく、ワーク加工面の表面粗さが向上するとともに、切屑も小さくなり、排出性も良好となると考えられる。
【００３６】
（３）先行技術との相違
特許文献１（特開２０１１−６２７９０号公報）の工具では、各段の切刃位置が同じであり、各段で切刃の配列パターンを異なるように配置することは開示されていない。先端側の配列パターンと後端側の配列パターンとが同じ部分が存在し、たとえば図２，４，５，７の断面での配列パターンが同じである。図３，６，８における配列パターンが同じである。ただし、図３，６，８の配列パターンでは２つの切刃が設けられているのみであり、多刃の配列パターンではない。２枚刃は上述の１枚刃と同様、高速送りに対応することができず、高速送りの加工においては加工に十分に作用しない。図２，４，５，７の５枚刃の配列パターンは全て同じ配列パターンである。そのため、リーマの先端側および後端側で同じ周期の振動が発生する。この振動がリーマの回転軸を振動させるため、円筒度および真円度が要求値を満たさない。
【００３７】
特許文献２（特開２００１−１１３４１３号公報）は、仕上げ刃が一枚刃である工具を開示しているが、複数の切刃を有する第一および第二切刃群は開示されていない。１枚刃であるから上記の高速送りに対応できないという問題がある。
【００３８】
特許文献３（実開平６−３１９１９号公報）は、先端に複数の荒削り刃、後端寄りに複数の仕上げ刃を設け、仕上げ刃は不等分割していて左ねじれ刃としている。左ねじれ刃であるため、切り屑は先端方向に排出されるので貫通孔の仕上げには最適であるが、段付きの孔または止まり孔を加工する場合には切り屑を排出することが困難となる。さらに、連続した左ねじれ刃であるため切削時に切り屑が流れようとする方向（右ねじれ方向）に対して、実際に切り屑が流れる方向が逆になる。そのため、ねじれ溝内で切り屑の抵抗が高くなり、振動が発生しやすくなるとともに、ワークとリーマとの間に切り屑が入り込む。これにより円筒度や表面粗さが悪化し、加工品質を損なう。また、ダイヤモンドなど超硬質材料のねじれ刃は容易に製作できない。
【００３９】
ねじれ刃は、切削抵抗を下げるため刃物角（すくい面と逃げ面とのなす角度）が小さくされる。そのため、刃先強度が弱くなって欠けやすく、加工した穴の面粗さは悪化する。また、ねじれ刃では芯厚（外径−溝深さ＝芯厚）が小さくなり強度が弱くなるため、振動が発生しやすくなり、芯厚が小さくなるほど真円度および円筒度が悪化する。一方、刃物角を大きくすれば、芯厚は大きくでき強度を上げられるが、切削抵抗が大きくなる。その結果、高速切削が困難となる。
【００４０】
（４）具体例
図１は、実施の形態に従ったリーマの正面図である。図２は、図１中のＩＩ−ＩＩ線に沿った断面図である。図３は、図１中のＩＩＩ−ＩＩＩ線に沿った断面図である。
【００４１】
図１から図３で示すように、実施の形態に従った回転切削工具としてのリーマ９０は、台金８０と、台金８０の先端に設けられた第一切刃群１０と、第一切刃群１０よりも回転軸８２方向の根元側に設けられた第二切刃群２０とを有する。第一切刃群１０は５つの第一切刃１１−１５で構成される。第二切刃群２０は４つの第二切刃２１−２４で構成される。回転切削工具は、ドリルであってもよい。回転方向が矢印７０で示される。
【００４２】
台金８０は超硬合金により構成される。第一切刃１１−１５と第二切刃２１−２４は、超硬質材料により構成される第一チップ１９および第二チップ２９の１つの辺である。第一切刃１１−１５と第二切刃２１−２４とは互いに距離を隔てて、不連続に配置されている。第一チップ１９および第二チップ２９は、ダイヤモンドまたは立方晶窒化ホウ素（ＣＢＮ）により構成される。ダイヤモンドは多結晶または単結晶のいずれであってもよい。
【００４３】
第一切刃１１−１５および第二切刃２１−２４はともに直線形状である。第一切刃１１−１５および第二切刃２１−２４は回転軸８２に平行に配置されている。台金８０には穴８１が設けられて、第一切刃１１−１５および第二切刃２１−２４近傍に潤滑剤を供給することができる。
【００４４】
第一切刃群１０を構成する第一切刃１１−１５において、各々の切刃間の角度は図２で示すように６０°または９０°である。
【００４５】
第二切刃群２０を構成する第二切刃２１−２４において、各々の切刃間の角度は図３で示すように８５°または９５°である。
【００４６】
第一切刃群１０の第一の回転直径はＤ１である。第二切刃群２０の第二の回転直径はＤ２である。第一切刃群１０と第二切刃群２０との間の回転軸８２に沿った距離はＬである。
【００４７】
各々の第一チップ１９には第一前切刃が設けられている。図１では、第一前切刃１１１，１４１のみが図示されている。各々の第二チップ２９には第二前切刃が設けられている。図１では、第二前切刃２１１，２３１のみが図示されている。前切刃はワークのスラスト面（回転軸に対してほぼ直角に位置する面）を切削加工するために用いられる。第一前切刃および第二前切刃は、回転軸に対してほぼ直角に位置する面内で延在する。
【００４８】
前切刃はワークのスラスト面に接触してワークから軸方向の力を受ける。大径の第二切刃群２０の複数の前切刃がワークに接触するときには、複数の前切刃が均等にワークに接触することが好ましい。しかしながら、均等な角度で前切刃を円周上で配置した場合（たとえば、９０°間隔で４つのチップを円周上には位置した場合）には、リーマ９０の共振の問題が発生する。そのため、隣接するチップの間の角度は５０°以上９５°以下が好ましく、８５°以上９５°以下の範囲であることが最も好ましい。
【００４９】
複数の第二チップ２９は、回転軸８２にほぼ直角な面内で延在して第二切刃に連なる第二前切刃を含む。隣接する第二前切刃間の角度は、隣接する第二切刃間の角度と同じである。
【００５０】
リーマ９０は、台金８０と、台金８０の外周面に設けられた第一チップ１９および第二チップ２９とを備える。リーマ９０は、所定の回転軸８２を中心に回転する。リーマ９０し、外周面は非点対称形状であり、台金８０先端部の第一チップ１９が設けられた部分の非点対称形状と台金８０軸方向後端寄りの第二チップ２９が設けられた部分の非点対称形状は異なる形状である。台金８０の先端部の第一チップ１９と台金８０の軸方向後端寄りの第二チップ２９の回転直径は異なる直径であり、台金８０先端部の第一チップ１９は５以上であるとともに台金８０の軸方向後端寄りの第二チップ２９は４以上である。リーマ９０は、内径の異なる複数の穴を加工することが可能な多段回転切削工具である。
【００５１】
第一チップ１９および第二チップ２９の位置は、それぞれ同一円周上に不等間隔で配置されている。第一チップ１９と第二チップ２９の数が異なる。
【００５２】
第一チップ１９のうち２つの第一チップ１９は、工具の回転軸８２を挟んで対向する位置に設けられる。すなわち２つの第一チップ１９の間隔は１８０°であり、２つの第一チップ１９の間には別の第一チップ１９が設けられる。
【００５３】
第一チップ１９は奇数個であり、工具の回転軸８２を挟んで対向する位置に設けられた２つの第一チップ１９の間に設けられるチップは、２つの第一チップ１９の間において等間隔に設けられる。
【００５４】
第二チップ２９は偶数個であり、このうち２つの第二チップ２９は工具の回転軸８２を挟んで対向する位置に設けられ、工具の回転軸８２を挟んで対向する位置に設けられた２つの第二チップ２９の間に設けられる第二チップ２９は不等間隔で設けられる。
【００５５】
第一切刃群１０での５以上の第一切刃１１−１５は第一の配列パターンで円周方向に配列され、第二切刃群での４以上の第二切刃２１−２４は第一の配列パターンと異なる第二の配列パターンで円周方向に配列される。第一の配列パターンにおいて隣接する第一切刃１１−１５間の角度は２種類以上存在し、第二の配列パターンにおいて隣接する第二切刃２１−２４間の角度は２種類以上存在する。
【００５６】
好ましくは、隣接する第一切刃１１−１５間の角度および隣接する第二切刃２１−２４間の角度は４種類以上存在する。この場合、内周側に設けられた溝周辺部分を１つの切刃で切削加工した後隣接する切刃で切削加工を行うまでの時間が４種類以上存在するため、リーマ９０が特定の周期で振動することを抑制できる。
【００５７】
配列パターンとは、円周上における切刃の配置角度（位相）をいう。第一切刃群１０および第二切刃群２０において切刃の数が異なるか、または、第一切刃群１０および第二切刃群２０における少なくとも１つの切刃の配置角度が異なれば、第一切刃群１０および第二切刃群２０における切刃の配列パターンが異なるといえる。
【００５８】
［本発明の実施形態の詳細］
（実施例１）
図４は、下孔が形成されたワークの断面図である。ワーク６０のガイド部６１、シート部６３および中間部６２に下孔が形成されている。各部分の寸法を図４において示している。ガイド部６１にはステムガイドが圧入される。シート部６３にはバルブシートが圧入される。ワーク６０はハイシリコンアルミニウム合金（ＡＤＣ１２）により構成される。
【００５９】
図５は、実施例１のリーマにおける第一切刃群を構成する第一切刃の配置を示す図である。図６は、実施例１のリーマにおける第二切刃群を構成する第二切刃の配置を示す図である。図５および図６で示すように、実施例１に従った第一切刃群１０および第二切刃群２０は、図１から３で示す実施の形態の回転切削工具と同様に配置される。切刃間の角度を表１に示す。
【００６０】
【表１】
2018183854.tif 000003
【００６１】
リーマの第一の回転直径Ｄ１を１０ｍｍとし、第二の回転直径Ｄ２を３６ｍｍとし、切刃間距離Ｌを５４ｍｍとした。
【００６２】
このようなリーマを用いて、図４で示すワークを以下の条件で加工した。
【００６３】
【表２】
2018183854.tif 000004
【００６４】
図７は、リーマで加工されたワークの断面図である。切削の結果、図７で示す形状のワークが得られた。このような加工を図４で示す形状の８つの孔に対して行った。
【００６５】
シート部６３およびガイド部６１の真円度および円筒度を測定した。真円度と円筒度は、真円度・円筒度測定機を使い、ＪＩＳ  Ｂ０６２１（１９８４）で規定されている内容に従い、測定した。なお、測定データは、ＭＺＣ最小領域中心法により測定した数値である。それらの結果を表３および表４に示す。
【００６６】
【表３】
2018183854.tif 000005
【００６７】
【表４】
2018183854.tif 000006
【００６８】
表３および表４から、シート部６３およびガイド部６１のいずれであっても、真円度および円筒度の要求値（５μｍ）を満たしているといえる。
【００６９】
（実施例２）
図８は、実施例２のリーマにおける第一切刃群を構成する第一切刃の配置を示す図である。図９は、実施例２のリーマにおける第二切刃群を構成する第二切刃の配置を示す図である。切刃間の角度を表５に示す。
【００７０】
【表５】
2018183854.tif 000007
【００７１】
リーマの第一の回転直径Ｄ１を１０ｍｍとし、第二の回転直径Ｄ２を３６ｍｍとし、切刃間距離Ｌを５４ｍｍとした。
【００７２】
このようなリーマを用いて、図４で示すワークを表２の条件で加工した。
切削の結果、図７で示す形状のワークが得られた。このような加工を図４で示す形状の８つの孔に対して行った。
【００７３】
シート部６３およびガイド部６１の真円度および円筒度を測定した。それらの結果を表６および表７に示す。
【００７４】
【表６】
2018183854.tif 000008
【００７５】
【表７】
2018183854.tif 000009
【００７６】
表６および表７から、シート部６３およびガイド部６１のいずれであっても、真円度および円筒度の要求値（５μｍ）を満たしているといえる。
【００７７】
（比較例１）
図１０は、比較例１のリーマにおける第一切刃群を構成する第一切刃の配置を示す図である。図１１は、比較例１のリーマにおける第二切刃群を構成する第二切刃の配置を示す図である。切刃間の角度を表８に示す。
【００７８】
【表８】
2018183854.tif 000010
【００７９】
リーマの第一の回転直径Ｄ１を１０ｍｍとし、第二の回転直径Ｄ２を３６ｍｍとし、切刃間距離Ｌを５４ｍｍとした。
【００８０】
このようなリーマを用いて、図４で示すワークを表２の条件で加工した。
切削の結果、図７で示す形状のワークが得られた。このような加工を図４で示す形状の８つの孔に対して行った。
【００８１】
シート部６３およびガイド部６１の真円度および円筒度を測定した。それらの結果を表９および表１０に示す。
【００８２】
【表９】
2018183854.tif 000011
【００８３】
【表１０】
2018183854.tif 000012
【００８４】
表９および表１０から、シート部６３およびガイド部６１のいずれであっても、真円度および円筒度の要求値（５μｍ）を満たしていないものがあることが分かった。
【００８５】
（比較例２）
図１２は、比較例２のリーマにおける第一切刃群を構成する第一切刃の配置を示す図である。図１３は、比較例２のリーマにおける第二切刃群を構成する第二切刃の配置を示す図である。切刃間の角度を表１１に示す。
【００８６】
【表１１】
2018183854.tif 000013
【００８７】
リーマの第一の回転直径Ｄ１を１０ｍｍとし、第二の回転直径Ｄ２を３６ｍｍとし、切刃間距離Ｌを５４ｍｍとした。
【００８８】
このようなリーマを用いて、図４で示すワークを表２の条件で加工した。
切削の結果、図７で示す形状のワークが得られた。このような加工を図４で示す形状の８つの孔に対して行った。
【００８９】
シート部６３およびガイド部６１の真円度および円筒度を測定した。それらの結果を表１２および表１３に示す。
【００９０】
【表１２】
2018183854.tif 000014
【００９１】
【表１３】
2018183854.tif 000015
【００９２】
表１２および表１３から、シート部６３およびガイド部６１のいずれであっても、真円度および円筒度の要求値（５μｍ）を満たしていないことが分かった。
【００９３】
今回開示された実施の形態および実施例はすべての点で例示であって、制限的なものではないと考えられるべきである。本発明の範囲は上記した実施の形態および実施例ではなく特許請求の範囲によって示され、特許請求の範囲と均等の意味、および範囲内でのすべての変更が含まれることが意図される。
【符号の説明】
【００９４】
１０  第一切刃群、１１−１５  第一切刃、１９  第一チップ、２０  第二切刃群、２１−２５  第二切刃、２９  第二チップ、６０  ワーク、６１  ガイド部、６３  シート部、８０  台金、８１  孔、８２  回転軸、９０  リーマ、１１１，１４１  第一前切刃、２１１，２３１  第二前切刃。
【図１】
2018183854.tif 000016
【図２】
2018183854.tif 000017
【図３】
2018183854.tif 000018
【図４】
2018183854.tif 000019
【図５】
2018183854.tif 000020
【図６】
2018183854.tif 000021
【図７】
2018183854.tif 000022
【図８】
2018183854.tif 000023
【図９】
2018183854.tif 000024
【図１０】
2018183854.tif 000025
【図１１】
2018183854.tif 000026
【図１２】
2018183854.tif 000027
【図１３】
2018183854.tif 000028